【事件の表示】
　特許第２７８４４５０号「鉄筋コンクリート基礎」の特許に対する特許異議の申立てについて、次のとおり決定する。
【結論】
訂正を認める。
　特許第２７８４４５０号の特許を維持する。
【理由】
Ｉ．手続の経緯
　本件特許第２７８４４５０号に係る出願は、平成２年９月１９日の出願であって、平成１０年５月２９日に特許の設定登録がなされ、その後平井英男から異議の申立がなされ、取消理由が通知され、その指定期間内である平成１１年８月９日に訂正請求がなされたものである。
ＩＩ．訂正の要旨
　訂正事項ａ：特許請求の範囲の請求項１の記載を、特許請求の範囲の減縮を目的として、次のように訂正する。
「鉄筋配筋してコンクリートを打設したコンクリート基礎の上端に、Ｈ型鋼からなる鉄骨土台を、その上部側のフランジが上方に突出し、且つ、その上部側フランジとコンクリート基礎上面との間に間隔を有するようにして埋設するとともに、基礎長手方向に沿うこの上部側のフランジ上面に柱下端の接合プレートを載置して、これら接合プレートと上部フランジとを上下方向のボルトで固定することを特徴とするコンクリート基礎。」
　訂正事項ｂ：明細書第２頁第２０行の「突出するようにして」という記載を、明瞭でない記載の釈明を目的として、次のように訂正する。
「突出し、且つ、その上部側フランジとコンクリート基礎上面との間に間隔を有するようにして」
　訂正事項ｃ：明細書第３頁第２行の「柱などの骨組材を固定する」という記載を、明瞭でない記載の釈明を目的として、次のように訂正する。
「柱下端のエンドプレートを載置して、これらエンドプレートと上部フランジとを上下方向のボルトで固定する」
　訂正事項ｄ：明細書第５頁第２行の「ボルト」という記載を、明瞭でない記載の釈明を目的として、次のように訂正する。
「上下方向のボルト」
　訂正事項ｅ：明細書第５頁第２〜３行の「固定されている。」の後に、明瞭でない記載の釈明を目的として、次の記載を追加する。
「このとき、上部フランジ（２）とコンクリート（２）天端との間には間隔を有しており、この間隔を利用してボルト（１６）の締付け作業を行なえるようにしている。」
　訂正事項ｆ：明細書第５頁第１９行の「少なくなる。」の後に、明瞭でない記載の釈明を目的として、次の記載を追加する。
「また、上部側フランジ上面に柱下端の接合プレートを載置して、これら接合プレートと上部フランジとを上下方向のボルトでこれらを固定するものであり、この上下方向のボルトの挿入及び締め付け作業は、上部フランジと基礎コンクリート上面との間の間隔を利用して行うので、ボルトでの固定作業も容易である。」
ＩＩＩ．訂正の適否
　１．訂正の目的の適否、新規事項の有無及び拡張・変更の存否
　上記訂正事項ａに係る訂正は、特許請求の範囲の減縮に該当し、願書に添附した明細書の記載の範囲内のものであり、実質的に特許請求の範囲を拡張又は変更するものではない。
　また、訂正事項ｂ〜ｆに係る訂正は、明瞭でない記載の釈明に該当し、願書に添附した明細書の記載の範囲内のものであり、実質的に特許請求の範囲を拡張又は変更するものではない。
　２．独立特許要件の判断
　訂正明細書の請求項１に係る発明は、訂正明細書の特許請求の範囲の請求項１に記載されたとおりのものであり（以下、「訂正後発明」という。）、これに対して、当審が通知した取消理由で引用した、本件の出願日前の他の出願であって、その出願後に出願公開された、特願平２−２０５９９６号（特開平４−９２０２１号公報参照）の願書に最初に添付された明細書及び図面（以下、「先願明細書」という。）には、特許請求の範囲、明細書第７頁第５行及び第１７〜１９行及び第１，２図を参照すると、鉄筋配筋をしてコンクリートを打設したコンクリート基礎の上端に基礎長手方向に沿って、Ｈ型鋼からなる鉄骨基礎梁を、その上部側のフランジが上方に突出するようにして埋設した建物の基礎が記載されている。
　そこで、訂正後発明と、先願明細書に記載された発明（以下、「先願発明」という。）とを比較すると、先願発明の「鉄骨基礎梁」は、訂正後発明の「鉄骨土台」に相当するから、「鉄筋配筋してコンクリートを打設したコンクリート基礎の上端に、Ｈ型鋼からなる鉄骨土台を、その上部側のフランジが上方に突出し、且つ、その上部側フランジとコンクリート基礎上面との間に間隔を有するようにして埋設するコンクリート基礎。」という点で両者の構成は一致し、訂正後発明では、上部側のフランジ上面に柱下端の接合プレートを載置して、これら接合プレートと上部フランジとを上下方向のボルトで固定するのに対し、先願発明では、そのような限定がない点で相違している。
　ここで、上記相違点について検討すると、上記相違点は、自明な構成でも周知技術でもなく、
この構成によって、明細書記載の作用効果を奏するものであるから、訂正後発明は、先願発明と同一ではなく、特許出願の際、独立して特許を受けることができるものである。
　３．むすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
ＩＶ．異議の申立てについての判断
　１．申立ての理由の概要
　申立人平井英男は、証拠として甲第１号証を提出して、本件請求項１に係る発明は、本件の出願日前の他の出願であってその出願後に出願公開された甲第１号証の願書に最初に添付された明細書及び図面に記載された発明であるから、特許法第２９条の２の規定に違反しており、本件の特許を取り消すべきであると主張している。
　２．判断
　上記甲第１号証の願書に最初に添付された明細書及び図面に記載された発明は、取消理由に引用した先願発明と同じであり、前記訂正の適否についての判断で示したように、本件発明は、先願発明と同一とはいえない。
Ｖ．むすび
　以上のとおりであるから、異議申立ての理由及び証拠によっては、本件の特許を取り消すことはできない。
　また、他に本件特許を取り消すべき理由を発見しない。
　よって、結論のとおり決定する。
【異議決定日】
平成１１年８月２６日（１９９９．８．２６）
【訂正の要旨】
訂正の要旨
　訂正事項ａ：特許請求の範囲の請求項１の記載を、特許請求の範囲の減縮を目的として、次のように訂正する。
「鉄筋配筋してコンクリートを打設したコンクリート基礎の上端に、Ｈ型鋼からなる鉄骨土台を、その上部側のフランジが上方に突出し、且つ、その上部側フランジとコンクリート基礎上面との間に間隔を有するようにして埋設するとともに、基礎長手方向に沿うこの上部側のフランジ上面に柱下端の接合プレートを載置して、これら接合プレートと上部フランジとを上下方向のボルトで固定することを特徴とするコンクリート基礎。」
　訂正事項ｂ：明細書第２頁第２０行の「突出するようにして」という記載を、明瞭でない記載の釈明を目的として、次のように訂正する。
「突出し、且つ、その上部側フランジとコンクリート基礎上面との間に間隔を有するようにして」
　訂正事項ｃ：明細書第３頁第２行の「柱などの骨組材を固定する」という記載を、明瞭でない記載の釈明を目的として、次のように訂正する。
「柱下端のエンドプレートを載置して、これらエンドプレートと上部フランジとを上下方向のボルトで固定する」
　訂正事項ｄ：明細書第５頁第２行の「ボルト」という記載を、明瞭でない記載の釈明を目的として、次のように訂正する。
「上下方向のボルト」
　訂正事項ｅ：明細書第５頁第２〜３行の「固定されている。」の後に、明瞭でない記載の釈明を目的として、次の記載を追加する。
「このとき、上部フランジ（２）とコンクリート（２）天端との間には間隔を有しており、この間隔を利用してボルト（１６）の締付け作業を行なえるようにしている。」
　訂正事項ｆ：明細書第５頁第１９行の「少なくなる。」の後に、明瞭でない記載の釈明を目的として、次の記載を追加する。
「また、上部側フランジ上面に柱下端の接合プレートを載置して、これら接合プレートと上部フランジとを上下方向のボルトでこれらを固定するものであり、この上下方向のボルトの挿入及び締め付け作業は、上部フランジと基礎コンクリート上面との間の間隔を利用して行うので、ボルトでの固定作業も容易である。」
（５４）【発明の名称】
鉄筋コンクリート基礎
（５７）【特許請求の範囲】
　鉄筋配筋をしてコンクリートを打設したコンクリート基礎の上端に、Ｈ型鋼からなる鉄骨土台を、その上部側のフランジが上方に突出
し、且つ、その上部側フランジとコンクリート基礎上面との間に間隔を有するようにして
柱下端の接合プレートを戴置して、これら接合プレートと上部フランジとを上下方向のボルトで固定する
【発明の詳細な説明】
　産業上の利用分野
　この発明は、プレハブ住宅などに用いられる鉄筋コンクリート基礎に関するものである。
　従来の技術
　従来、現場施工の湿式工法によって構築されるプレハブ住宅等の基礎においては、配筋をし更にコンクリートを打設する際に予め基礎上方に突出するアンカーボルトを設置しておき、コンクリート硬化後にこのアンカーボルトへ柱等の軸組を固定することが行われている。
　発明が解決しようとする課題
　上記従来のコンクリート基礎において、アンカーボルトはコンクリートの打設前に型枠等へ取り付けるなどによって設置されるが、その位置精度が正確になされていないと柱等の取付が不可能となる。しかしながら、このアンカーボルトを精度良く設置することはきわめて困難で、また、コンクリートの打設の際に狂い易く、コンクリート硬化後に台直しと称する修正作業が必要となり、アンカーボルト一本一本に付いてかかる作業を行うとそれだけ作業期間が長くなり、かつ、コストも高くなる欠点があった。
　この発明は、このような従来の欠点を解消することを目的としてなされたものである。
　課題を解決するための手段
　上記の課題を解決するため、この発明では、鉄筋配筋をしてコンクリートを打設したコンクリート基礎の上端に、Ｈ型鋼からなる鉄骨土台を、その上部側のフランジが上方に突出
し、且つ、その上部側フランジとコンクリート基礎上面との間に間隔を有するようにして
柱下端のエンドプレートを戴置して、これらエンドプレートと上部フランジとを上下方向のボルトで固定する
　作　　用
　上記この発明では、コンクリート基礎の上端に埋設した鉄骨土台に柱等の骨組材を取り付けるので、アンカーボルトが不要となり、しかもアンカーボルトと異なって一本一本通りと高さを調節する必要がないので、作業が容易である。また、土台は、コンクリートに埋設されて強固に保持されており、強度の高いものが得られる。
　実施例
　第２図は、この発明の鉄骨土台（１）であって、そのフランジ（２）（３）が上下平行となるようにして設置されるＨ型鋼からなるものであり、ウエブ（４）の側面には、上下のフランジ（２）（３）に跨るようにしてスチフナープレート（５）が、長手方向に間隔をおいて複数個溶接されている。ウエブ（４）の端部には、土台（１）を長手方向に接続するためのボルト穴（６）が、中間部には鉄筋を通すための連結穴（７）が形成され、スチフナープレート（５）には、同じくＴ字型または十字型に接続するためのボルト穴（８）が形成されている。これらの接続は、接合プレートを介して行われる。
　第１図は、基礎施工後の状態を示したもので、栗石（９）上方に方形ループ上の縦筋（１０）を配筋し、更に、基礎長手方向に配列されたそれら縦筋（１０）の各コーナー及び中間部に跨って横主筋（１１）を溶接し、更に、前記鉄骨土台（１）をその下端が縦筋（１０）の上端よりも低くなるようにして設置し、これら鉄筋（１０）（１１）の全部及び鉄骨土台（１）の下半部を被覆するようにして、基礎コンクリート（１２）を打設している。その際、縦筋（１０）の水平な上片（１３）が、鉄骨土台（１）の上部に形成した連結穴（７）へ挿通されて、この上端部の一方のコーナーにおいて、前記横主筋（１１）へ端部が折り返し状に巻き付けられている。そして、コンクリート（１２）天端より上方に突出する土台（１）の上部フランジ（２）の上面に、鉄骨柱（１４）の下端の接合プレート（１５）が載置されて、
上下方向の
このとき、上部側フランジ（２）とコンクリート（２）天端との間には間隔を有しており、この間隔を利用してボルト（１６）の締付け作業を行なえるようにしている。
　発明の効果
　以上のように、この発明によれば、基礎コンクリートの上端に鉄骨土台を埋設して、この土台にアンカーボルトを介することなく直接柱などの骨組材を固定しているから、この土台の設置の際にその通り及び高さを精度良く出しておけば、特別の修正作業を行うことなく、柱などの取付を行うことができ、しかも、土台の通りなどはアンカーボルトを一本一本設置する場合に比較して浅かに容易であり、それだけ作業工数を低減できる効果がある。加えて、土台は、基礎コンクリート内に埋設されるから、強固に支持され柱などの支持強度が増すと言う効果が得られる。更に、アンカーボルトの本数に比較して土台の数は少なくなるから、部品点数も少なくなる。
また、上部側フランジ上面に柱下端の接合プレートを戴置して、上下方向のボルトでこれらを固定するものであり、この上下方向のボルトの挿入及び締め付け作業は、上部フランジと基礎コンクリート上面との間の間隔を利用して行うので、ボルトでの固定作業も容易である。
【図の簡単な説明】
　第１図は、この発明の実施例を示す基礎の横断面図、第２図は、基礎梁の要部の斜視図である。
　（１）…鉄骨土台、（２）（３）…フランジ、
　（１０）…縦筋、（１１）…横主筋、（１２）…コンクリート。